(57)【特許請求の範囲】
【請求項１】
バッテリー端子と接続され過電流が流れたときに可溶体が溶断するヒュージブルリンクと、
バッテリー筐体のポスト立設面に設けられたバッテリーポストに前記バッテリー端子が締結された状態で前記ポスト立設面と前記バッテリー端子との間に介在するベース部と、前記ベース部と連接され前記ヒュージブルリンクを前記ポスト立設面に保持する保持部とを有する保持機構と、
前記ヒュージブルリンクと前記バッテリー端子とを電気的に接続すると共に、前記ヒュージブルリンクとの接続位置と、前記バッテリー端子との接続位置との間の寸法上のズレ量を吸収する接続部材側ズレ量吸収構造を有する接続部材とを備え、
前記ヒュージブルリンクは、前記バッテリーポストの軸方向に沿った回転軸線を回転中心として前記接続部材を回転可能に支持する回転許容支持部を有し、当該回転許容支持部が、前記接続部材と前記ヒュージブルリンクとの接続位置と、前記接続部材と前記バッテリー端子との接続位置との間の寸法上のズレ量を吸収するヒュージブルリンク側ズレ量吸収構造を構成することを特徴とする、
ヒューズユニット。
【請求項２】
バッテリー端子と接続され過電流が流れたときに可溶体が溶断するヒュージブルリンクと、
バッテリー筐体のポスト立設面に設けられたバッテリーポストに前記バッテリー端子が締結された状態で前記ポスト立設面と前記バッテリー端子との間に介在するベース部と、前記ベース部と連接され前記ヒュージブルリンクを前記ポスト立設面に保持する保持部とを有する保持機構と、
前記ヒュージブルリンクと前記バッテリー端子とを電気的に接続すると共に、前記ヒュージブルリンクとの接続位置と、前記バッテリー端子との接続位置との間の寸法上のズレ量を吸収する接続部材側ズレ量吸収構造を有する接続部材とを備え、
前記接続部材は、前記ヒュージブルリンクと接続されるヒュージブルリンク側接続部と、前記バッテリー端子と接続される端子側接続部と、前記バッテリーポストの軸方向に沿って延在して前記ヒュージブルリンク側接続部と前記端子側接続部とを接続し前記軸方向に沿った撓みを許容する撓み許容部とを有し、
前記接続部材側ズレ量吸収構造は、前記撓み許容部によって構成されることを特徴とする、
ヒューズユニット。
【請求項３】
バッテリー端子と接続され過電流が流れたときに可溶体が溶断するヒュージブルリンクと、
バッテリー筐体のポスト立設面に設けられたバッテリーポストに前記バッテリー端子が締結された状態で前記ポスト立設面と前記バッテリー端子との間に介在するベース部と、前記ベース部と連接され前記ヒュージブルリンクを前記ポスト立設面に保持する保持部とを有する保持機構と、
前記ヒュージブルリンクと前記バッテリー端子とを電気的に接続すると共に、前記ヒュージブルリンクとの接続位置と、前記バッテリー端子との接続位置との間の寸法上のズレ量を吸収する接続部材側ズレ量吸収構造を有する接続部材とを備え、
前記接続部材は、前記ヒュージブルリンクと接続されるヒュージブルリンク側接続部と、前記バッテリー端子と接続される端子側接続部と、前記バッテリーポストの軸方向と直交する直交方向に沿って延在し前記直交方向に沿った撓みを許容する第１撓み許容部と、前記ヒュージブルリンク側接続部と前記第１撓み許容部の一端とを接続し前記軸方向に沿った撓みを許容する第２撓み許容部と、前記端子側接続部と前記第１撓み許容部の他端とを接続し前記軸方向に沿った撓みを許容する第３撓み許容部とを有し、
前記接続部材側ズレ量吸収構造は、前記第１撓み許容部、前記第２撓み許容部、及び、前記第３撓み許容部によって構成されることを特徴とする、
ヒューズユニット。
【請求項４】
バッテリー端子と接続され過電流が流れたときに可溶体が溶断するヒュージブルリンクと、
バッテリー筐体のポスト立設面に設けられたバッテリーポストに前記バッテリー端子が締結された状態で前記ポスト立設面と前記バッテリー端子との間に介在するベース部と、前記ベース部と連接され前記ヒュージブルリンクを前記ポスト立設面に保持する保持部とを有する保持機構と、
前記ヒュージブルリンクと前記バッテリー端子とを電気的に接続すると共に、前記ヒュージブルリンクとの接続位置と、前記バッテリー端子との接続位置との間の寸法上のズレ量を吸収する接続部材側ズレ量吸収構造を有する接続部材とを備え、
前記接続部材は、前記バッテリーポストの軸方向に複数積層されることを特徴とする、
ヒューズユニット。
【請求項５】
バッテリー端子と接続され過電流が流れたときに可溶体が溶断するヒュージブルリンクと、
バッテリー筐体のポスト立設面に設けられたバッテリーポストに前記バッテリー端子が締結された状態で前記ポスト立設面と前記バッテリー端子との間に介在するベース部と、前記ベース部と連接され前記ヒュージブルリンクを前記ポスト立設面に保持する保持部とを有する保持機構と、
前記ヒュージブルリンクと前記バッテリー端子とを電気的に接続すると共に、前記ヒュージブルリンクとの接続位置と、前記バッテリー端子との接続位置との間の寸法上のズレ量を吸収する接続部材側ズレ量吸収構造を有する接続部材と、
前記接続部材の前記バッテリー端子側を当該バッテリー端子に仮締め、及び、本締めするための端子側仮締め兼用締結具と、
前記接続部材の前記ヒュージブルリンク側を当該ヒュージブルリンクに本締めするためのヒュージブルリンク側締結具とを備えることを特徴とする、
ヒューズユニット。
【請求項６】
前記接続部材は、前記バッテリーポストの軸方向と直交する直交方向に沿って形成される長孔を有し、当該長孔に前記ヒュージブルリンク側、又は、前記バッテリー端子側に形成された突起部が挿入されることで接続され、
前記接続部材側ズレ量吸収構造は、前記長孔によって構成される、
請求項１、請求項３、請求項４、又は、請求項５に記載のヒューズユニット。
【請求項７】
前記保持部は、前記バッテリーポストの軸方向と直交する直交方向に沿って形成され前記ヒュージブルリンクを収容する収容空間部を区画すると共に、前記ヒュージブルリンクを前記直交方向に沿って前記収容空間部に案内可能である側壁と、前記側壁の前記軸方向の端部に形成され、前記収容空間部に収容された前記ヒュージブルリンクに当接して当該ヒュージブルリンクの前記軸方向に沿った移動を規制する規制爪部とを有する、
請求項１乃至請求項６のいずれか１項に記載のヒューズユニット。
【請求項８】
前記収容空間部に収容された前記ヒュージブルリンクの前記直交方向に沿った移動を規制する規制機構を備える、
請求項７に記載のヒューズユニット。
【請求項９】
バッテリー端子と接続され過電流が流れたときに可溶体が溶断するヒュージブルリンクと、
バッテリー筐体のポスト立設面に設けられたバッテリーポストに前記バッテリー端子が締結された状態で前記ポスト立設面と前記バッテリー端子との間に介在するベース部と、前記ベース部と連接され前記ヒュージブルリンクを前記ポスト立設面に保持する保持部とを有する保持機構とを備え、
前記保持部は、前記バッテリーポストの軸方向と直交する直交方向に沿って形成され前記ヒュージブルリンクを収容する収容空間部を区画すると共に、前記ヒュージブルリンクを前記直交方向に沿って前記収容空間部に案内可能である側壁と、前記側壁の前記軸方向の端部に形成され、前記収容空間部に収容された前記ヒュージブルリンクに当接して当該ヒュージブルリンクの前記軸方向に沿った移動を規制する規制爪部とを有することを特徴とする、
ヒューズユニット。
【請求項１０】
バッテリー端子と接続され過電流が流れたときに可溶体が溶断するヒュージブルリンクと、バッテリー筐体のポスト立設面に設けられたバッテリーポストに前記バッテリー端子が締結された状態で前記ポスト立設面と前記バッテリー端子との間に介在するベース部と、前記ベース部と連接され前記ヒュージブルリンクを前記ポスト立設面に保持する保持部とを有する保持機構と、前記ヒュージブルリンクと前記バッテリー端子とを電気的に接続すると共に、前記ヒュージブルリンクとの接続位置と、前記バッテリー端子との接続位置との間の寸法上のズレ量を吸収する接続部材側ズレ量吸収構造を有する接続部材とを備えるヒューズユニットの、前記接続部材の前記バッテリー端子側を端子側仮締め兼用締結具によって当該バッテリー端子に仮締めする端子側仮締め工程と、
前記端子側仮締め工程の後に、前記接続部材の前記バッテリー端子側を端子側仮締め兼用締結具によって当該バッテリー端子に仮締めした状態で前記接続部材の前記ヒュージブルリンク側を当該ヒュージブルリンクに組み付ける接続部材組付工程と、
前記接続部材組付工程の後に、前記接続部材と前記端子側仮締め兼用締結具との間に他の端子を介在させる端子組付工程と、
前記端子組付工程の後に、前記端子側仮締め兼用締結具、及び、前記接続部材の前記ヒュージブルリンク側を当該ヒュージブルリンクに本締めするためのヒュージブルリンク側締結具を本締めする本締め工程とを含むことを特徴とする、
ヒューズユニット組み付け方法。
【発明の詳細な説明】
【技術分野】
【０００１】
本発明は、ヒューズユニット、及び、ヒューズユニット組み付け方法に関する。
【背景技術】
【０００２】
車両等に搭載される従来のヒューズユニットとして、例えば、特許文献１には、バッテリー端子に立設されたボルトに接続される電源側端子と、負荷端子に接続される負荷側端子と、電源側端子と負荷側端子に渡して設けられた可溶体とが平板状に一体形成された導体と、電源側端子と負荷側端子の他端子との接続部をそれぞれ露出させて導体を被覆してなる樹脂製のカバーを備えるヒューズユニットが開示されている。
【先行技術文献】
【特許文献】
【０００３】
【特許文献１】特開２０１３−０３７９４９号公報
【発明の概要】
【発明が解決しようとする課題】
【０００４】
ところで、上述の特許文献１に記載のヒューズユニットは、例えば、バッテリー端子に直付けされる構成となっているが、このようなバッテリー端子をバッテリーポストに締結する場合、当該バッテリーポストに作用する荷重抑制の点でさらなる改善の余地がある。
【０００５】
本発明は、上記の事情に鑑みてなされたものであって、バッテリーポストに作用する荷重を抑制することができるヒューズユニット、及び、ヒューズユニット組み付け方法を提供することを目的とする。
【課題を解決するための手段】
【０００６】
上記目的を達成するために、本発明に係るヒューズユニットは、バッテリー端子と接続され過電流が流れたときに可溶体が溶断するヒュージブルリンクと、バッテリー筐体のポスト立設面に設けられたバッテリーポストに前記バッテリー端子が締結された状態で前記ポスト立設面と前記バッテリー端子との間に介在するベース部と、前記ベース部と連接され前記ヒュージブルリンクを前記ポスト立設面に保持する保持部とを有する保持機構と、前記ヒュージブルリンクと前記バッテリー端子とを電気的に接続すると共に、前記ヒュージブルリンクとの接続位置と、前記バッテリー端子との接続位置との間の寸法上のズレ量を吸収する接続部材側ズレ量吸収構造を有する接続部材とを備えることを特徴とする。
【０００７】
また、上記ヒューズユニットでは、前記接続部材は、前記バッテリーポストの軸方向と直交する直交方向に沿って形成される長孔を有し、当該長孔に前記ヒュージブルリンク側、又は、前記バッテリー端子側に形成された突起部が挿入されることで接続され、前記接続部材側ズレ量吸収構造は、前記長孔によって構成されるものとすることができる。
【０００８】
また、上記ヒューズユニットでは、前記ヒュージブルリンクは、前記バッテリーポストの軸方向に沿った回転軸線を回転中心として前記接続部材を回転可能に支持する回転許容支持部を有し、当該回転許容支持部が、前記接続部材と前記ヒュージブルリンクとの接続位置と、前記接続部材と前記バッテリー端子との接続位置との間の寸法上のズレ量を吸収するヒュージブルリンク側ズレ量吸収構造を構成するものとすることができる。
【０００９】
また、上記ヒューズユニットでは、前記接続部材は、前記ヒュージブルリンクと接続されるヒュージブルリンク側接続部と、前記バッテリー端子と接続される端子側接続部と、前記バッテリーポストの軸方向に沿って延在して前記ヒュージブルリンク側接続部と前記端子側接続部とを接続し前記軸方向に沿った撓みを許容する撓み許容部とを有し、前記接続部材側ズレ量吸収構造は、前記撓み許容部によって構成されるものとすることができる。
【００１０】
また、上記ヒューズユニットでは、前記接続部材は、前記ヒュージブルリンクと接続されるヒュージブルリンク側接続部と、前記バッテリー端子と接続される端子側接続部と、前記バッテリーポストの軸方向と直交する直交方向に沿って延在し前記直交方向に沿った撓みを許容する第１撓み許容部と、前記ヒュージブルリンク側接続部と前記第１撓み許容部の一端とを接続し前記軸方向に沿った撓みを許容する第２撓み許容部と、前記端子側接続部と前記第１撓み許容部の他端とを接続し前記軸方向に沿った撓みを許容する第３撓み許容部とを有し、前記接続部材側ズレ量吸収構造は、前記第１撓み許容部、前記第２撓み許容部、及び、前記第３撓み許容部によって構成されるものとすることができる。
【００１１】
また、上記ヒューズユニットでは、前記接続部材は、前記バッテリーポストの軸方向に複数積層されるものとすることができる。
【００１２】
また、上記ヒューズユニットでは、前記接続部材の前記バッテリー端子側を当該バッテリー端子に仮締め、及び、本締めするための端子側仮締め兼用締結具と、前記接続部材の前記ヒュージブルリンク側を当該ヒュージブルリンクに本締めするためのヒュージブルリンク側締結具とを備えるものとすることができる。
【００１３】
また、上記ヒューズユニットでは、前記保持部は、前記バッテリーポストの軸方向と直交する直交方向に沿って形成され前記ヒュージブルリンクを収容する収容空間部を区画すると共に、前記ヒュージブルリンクを前記直交方向に沿って前記収容空間部に案内可能である側壁と、前記側壁の前記軸方向の端部に形成され、前記収容空間部に収容された前記ヒュージブルリンクに当接して当該ヒュージブルリンクの前記軸方向に沿った移動を規制する規制爪部とを有するものとすることができる。
【００１４】
また、上記ヒューズユニットでは、前記収容空間部に収容された前記ヒュージブルリンクの前記直交方向に沿った移動を規制する規制機構を備えるものとすることができる。
【００１５】
上記目的を達成するために、本発明に係るヒューズユニットは、バッテリー端子と接続され過電流が流れたときに可溶体が溶断するヒュージブルリンクと、バッテリー筐体のポスト立設面に設けられたバッテリーポストに前記バッテリー端子が締結された状態で前記ポスト立設面と前記バッテリー端子との間に介在するベース部と、前記ベース部と連接され前記ヒュージブルリンクを前記ポスト立設面に保持する保持部とを有する保持機構とを備え、前記保持部は、前記バッテリーポストの軸方向と直交する直交方向に沿って形成され前記ヒュージブルリンクを収容する収容空間部を区画すると共に、前記ヒュージブルリンクを前記直交方向に沿って前記収容空間部に案内可能である側壁と、前記側壁の前記軸方向の端部に形成され、前記収容空間部に収容された前記ヒュージブルリンクに当接して当該ヒュージブルリンクの前記軸方向に沿った移動を規制する規制爪部とを有することを特徴とする。
【００１６】
上記目的を達成するために、本発明に係るヒューズユニット組み付け方法は、バッテリー端子と接続され過電流が流れたときに可溶体が溶断するヒュージブルリンクと、バッテリー筐体のポスト立設面に設けられたバッテリーポストに前記バッテリー端子が締結された状態で前記ポスト立設面と前記バッテリー端子との間に介在するベース部と、前記ベース部と連接され前記ヒュージブルリンクを前記ポスト立設面に保持する保持部とを有する保持機構と、前記ヒュージブルリンクと前記バッテリー端子とを電気的に接続すると共に、前記ヒュージブルリンクとの接続位置と、前記バッテリー端子との接続位置との間の寸法上のズレ量を吸収する接続部材側ズレ量吸収構造を有する接続部材とを備えるヒューズユニットの、前記接続部材の前記バッテリー端子側を端子側仮締め兼用締結具によって当該バッテリー端子に仮締めする端子側仮締め工程と、前記端子側仮締め工程の後に、前記接続部材の前記バッテリー端子側を端子側仮締め兼用締結具によって当該バッテリー端子に仮締めした状態で前記接続部材の前記ヒュージブルリンク側を当該ヒュージブルリンクに組み付ける接続部材組付工程と、前記接続部材組付工程の後に、前記接続部材と前記端子側仮締め兼用締結具との間に他の端子を介在させる端子組付工程と、前記端子組付工程の後に、前記端子側仮締め兼用締結具、及び、前記接続部材の前記ヒュージブルリンク側を当該ヒュージブルリンクに本締めするためのヒュージブルリンク側締結具を本締めする本締め工程とを含むことを特徴とする
【発明の効果】
【００１７】
本発明に係るヒューズユニット、及び、ヒューズユニット組み付け方法は、保持機構のベース部と連接された保持部によってヒュージブルリンクをバッテリー筐体のポスト立設面に保持し、当該ポスト立設面でヒュージブルリンクの荷重を受けることで、ヒューズユニットからバッテリー端子に作用する荷重を抑制することができる。この結果、このヒューズユニット、及び、ヒューズユニット組み付け方法は、バッテリーポストに作用する荷重を抑制することができる、という効果を奏する。
【図面の簡単な説明】
【００１８】
【図１】図１は、実施形態１に係るヒューズユニットが適用されるバッテリーの概略構成を表す斜視図である。
【図２】図２は、実施形態１に係るヒューズユニットの概略構成を表す分解斜視図である。
【図３】図３は、実施形態１に係るヒューズユニットの概略構成を表す平面図である。
【図４】図４は、実施形態１に係るヒューズユニットの部分断面斜視図である。
【図５】図５は、実施形態１に係るヒューズユニットの規制機構を含む部分断面図である。
【図６】図６は、実施形態１に係るヒューズユニットの連結バスバーの概略構成を表す斜視図である。
【図７】図７は、実施形態１に係るヒューズユニットの組み付け方法の一例を表すフローチャートである。
【図８】図８は、変形例に係るヒューズユニットの連結バスバーの概略構成を表す斜視図である。
【図９】図９は、変形例に係るヒューズユニットの規制機構を含む部分断面図である。
【図１０】図１０は、実施形態２に係るヒューズユニットが適用されるバッテリーの概略構成を表す斜視図である。
【図１１】図１１は、実施形態２に係るヒューズユニットの連結バスバーの概略構成を表す斜視図である。
【図１２】図１２は、実施形態３に係るヒューズユニットが適用されるバッテリーの概略構成を表す斜視図である。
【図１３】図１３は、実施形態３に係るヒューズユニットの組み付け方法の一例を表すフローチャートである。
【発明を実施するための形態】
【００１９】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２０】
［実施形態１］
図１は、実施形態１に係るヒューズユニットが適用されるバッテリーの概略構成を表す斜視図である。図２は、実施形態１に係るヒューズユニットの概略構成を表す分解斜視図である。図３は、実施形態１に係るヒューズユニットの概略構成を表す平面図である。図４は、実施形態１に係るヒューズユニットの部分断面斜視図である。図５は、実施形態１に係るヒューズユニットの規制機構を含む部分断面図である。図６は、実施形態１に係るヒューズユニットの連結バスバーの概略構成を表す斜視図である。図７は、実施形態１に係るヒューズユニットの組み付け方法の一例を表すフローチャートである。図８は、変形例に係るヒューズユニットの連結バスバーの概略構成を表す斜視図である。図９は、変形例に係るヒューズユニットの規制機構を含む部分断面図である。なお、図２は、説明をわかり易くするため、実際にはインサート成形によってハウジングの内部に埋設されるヒューズエレメント、スタッドボルトを分解して模式的に図示している。
【００２１】
なお、以下の説明では、バッテリーポスト１０２の中心軸線Ｘ１に沿った方向を軸方向という。典型的には、軸方向は、バッテリー１００が車両等に搭載された状態で、鉛直方向に沿った方向となり、後述するバッテリー筐体１０１のポスト立設面１０５は、典型的には、バッテリー筐体１０１の鉛直方向上面に相当する。またここでは、以下の説明を分かり易くするために、便宜的に当該軸方向と直交する２つの直交方向のうち一方を長辺方向（第１の幅方向）、他方を短辺方向（第２の幅方向）という。これら第１方向としての軸方向（Ｚ方向）、第２方向としての長辺方向（Ｘ方向）、及び、第３方向としての短辺方向（Ｙ方向）は互いに直交する。
【００２２】
本実施形態に係るヒューズユニット１は、図１、図２、図３に示すように、車両等に搭載されるバッテリー１００に接続されるバッテリー端子１１０に適用され、電装回路の過電流保護に用いられるものである。
【００２３】
ここでまず、図１、図２、図３を参照して、当該ヒューズユニット１が適用されるバッテリー１００及びバッテリー端子１１０について説明する。
【００２４】
バッテリー１００は、例えば、車両等に蓄電装置として搭載されるものである。バッテリー１００は、バッテリー液や当該バッテリー１００を構成する種々の部品を収容するバッテリー筐体１０１、当該バッテリー筐体１０１に設けられたバッテリーポスト１０２等を含んで構成される。バッテリー筐体１０１は、いずれか１つの面が開放された略矩形箱状の筐体本体１０３と、上記開放された面を閉塞させる蓋部材１０４とを含んで構成され、全体として略直方体形状に形成される。ここでは、バッテリー筐体１０１は、長辺方向に沿った方向が長辺、短辺方向に沿った方向が短辺となるがこれに限らない。バッテリーポスト１０２は、導電性を有する鉛等により構成され、蓋部材１０４のポスト立設面１０５に立設される。ポスト立設面１０５は、バッテリー筐体１０１においてバッテリーポスト１０２が立設される面である。ここでは、当該ポスト立設面１０５は、例えば、バッテリー１００が車両等に搭載された状態で、バッテリー筐体１０１を構成する蓋部材１０４の鉛直方向上側の面（鉛直方向上面）である。このポスト立設面１０５は、後述の凹部１０６の底面も含む、蓋部材１０４の鉛直方向上面全体である。バッテリーポスト１０２は、略円柱形状であり、中心軸線Ｘ１がポスト立設面１０５と直交するような位置関係で当該ポスト立設面１０５上に突出するようにして立設される。より詳細には、本実施形態のバッテリーポスト１０２は、ポスト立設面１０５の角位置近傍に形成された凹部１０６内に立設される。当該凹部１０６は、ポスト立設面１０５の角位置近傍において略矩形状に陥没した部分である。バッテリーポスト１０２は、この凹部１０６内に立設されている。バッテリーポスト１０２は、典型的には、軸方向の先端側に進むにつれて径が小さくなるようテーパが付けられている。つまり、バッテリーポスト１０２は、先端の外径が基端の外径より小さいテーパ形状となる。
【００２５】
なお、バッテリーポスト１０２、凹部１０６は、長辺方向に対して、陽極、陰極で対となるように一対で設けられ、当該一対の凹部１０６は、連通凹部１０７を介して連通されている。連通凹部１０７は、蓋部材１０４の長辺方向の縁部に沿って形成される。以下の説明では、ヒューズユニット１が陽極側のバッテリーポスト１０２に設けられるバッテリー端子１１０に対して適用される場合を説明するがこれに限らない。なお、バッテリー１００は、鉛直方向下側に設けられる据付トレイ１０８等を介して車両の所定の位置に据え付けられる。
【００２６】
バッテリー端子１１０は、バッテリーポスト１０２に取り付けられることにより、バッテリー１００と、このバッテリー１００が搭載される車両等の本体側の電線１１４の末端に設けられた端子１１５等の金具とを電気的に接続するための部品である。バッテリー端子１１０は、本体部１１１と、スタッドボルト１１２と、締付部１１３とを備える。本体部１１１は、例えば、導電性を有する金属板のプレス折り曲げ加工により、環状部１１１ａ、ボルト保持部１１１ｂ等が一体で形成される。環状部１１１ａは、バッテリーポスト１０２が挿入されるポスト挿入孔１１１ｃと、当該ポスト挿入孔１１１ｃと連続するスリット１１１ｄが形成される。ポスト挿入孔１１１ｃは、略円形状に形成され、バッテリーポスト１０２が挿入された状態で、各内周面がバッテリーポスト１０２と接触するように、内周壁面に上述したバッテリーポスト１０２のテーパに対応したテーパを有している。ボルト保持部１１１ｂは、例えば、ボルト挿入孔１１１ｅにスタッドボルト１１２が挿入された状態で折り曲げ加工されることで、当該スタッドボルト１１２を保持する部分である。スタッドボルト１１２は、導電性を有し、ボルト保持部１１１ｂに保持された状態で、ボルト挿入孔１１１ｅから露出した軸部に電線１１４の末端に設けられた端子１１５等の金具が電気的に接続される（図１、図３等参照）。締付部１１３は、ポスト挿入孔１１１ｃ内にバッテリーポスト１０２が挿入された状態で、環状部１１１ａを当該バッテリーポスト１０２に締結するものである。締付部１１３は、例えば、ボルトと、ナットとを含んで構成され、当該ボルトが上述のスリット１１１ｄを横断するような位置関係で本体部１１１に組み付けられる。そして、締付部１１３は、ボルトの先端部分にナットが螺合されることで、環状部１１１ａを締め付けてバッテリー端子１１０をバッテリーポスト１０２に締結する。
【００２７】
そして、本実施形態のヒューズユニット１は、上記のようにしてバッテリー端子１１０がバッテリーポスト１０２に締結されるバッテリー１００にあって、ベース部３１と保持部３２とが一体的に形成された保持機構としてのプロテクタ３によって、ヒュージブルリンク２をポスト立設面１０５、ここでは、バッテリー筐体１０１の鉛直方向上面に保持することで、バッテリーポスト１０２に作用する荷重を抑制している。
【００２８】
具体的には、ヒューズユニット１は、図１、図２、図３、図４、図５、図６に示すように、ヒュージブルリンク２と、保持機構としてのプロテクタ３とを備える。さらに、本実施形態のヒューズユニット１は、係止機構４と、接続部材としての連結バスバー５とを備える。
【００２９】
ヒュージブルリンク２は、バッテリー端子１１０と接続され過電流が流れたときに可溶体（ヒューズ）２１ｃが溶断するものである。ヒュージブルリンク２は、可溶体２１ｃが設けられたヒューズエレメント２１と、ヒューズエレメント２１に連接されるスタッドボルト２２と、ヒューズエレメント２１を支持する樹脂製のハウジング２３とを含んで構成される。
【００３０】
ヒューズエレメント２１は、導電性を有する板状の導体であり、金属バスバーによって構成される。ヒューズエレメント２１は、連結バスバー５等を介してバッテリー端子１１０に接続される電源側端子２１ａと、負荷端子に接続される複数の負荷側端子２１ｂと、電源側端子２１ａと各負荷側端子２１ｂとに渡して設けられた各可溶体２１ｃとが平板状に一体形成される。各負荷側端子２１ｂは、負荷端子の形状等に応じて様々な形状を有している。各可溶体２１ｃは、電源側端子２１ａと各負荷側端子２１ｂとをそれぞれ導通接続している。各可溶体２１ｃは、例えば、幅を狭めた帯状の導電部に低融点金属チップを溶着させた構成で、過電流が流れたときに溶断し該当する電流経路を遮断する。ここで、可溶体２１ｃの過電流とは、例えば、予め設定された定格以上の電流である。つまり、各可溶体２１ｃは、予め設定された定格以上の電流が流れたときに溶断する。各可溶体２１ｃの定格電流は、保護する回路の電流に合わせてそれぞれ決められる。電源側端子２１ａ、各負荷側端子２１ｂは、それぞれボルト取付孔やコネクタ接続形状が設けられており、例えば、ボルト取付孔にはスタッドボルト２２が接合される。ここでは、ヒューズエレメント２１は、電源側端子２１ａを１つ、負荷側端子２１ｂを５つ、可溶体２１ｃを４つ含んで構成される。
【００３１】
各スタッドボルト２２は、導電性を有し、外部回路の負荷端子や連結バスバー５等が電気的に接続される。
【００３２】
ハウジング２３は、絶縁性の樹脂材によって形成され、ヒューズエレメント２１及びスタッドボルト２２を支持して覆うブロック状ボディである。本実施形態のヒュージブルリンク２は、例えば、インサート成形等によってハウジング２３の内部にヒューズエレメント２１、スタッドボルト２２が埋設され一体化される。ヒュージブルリンク２は、全体として、略矩形箱状に形成される。
【００３３】
なお、ヒュージブルリンク２は、各可溶体２１ｃの位置が樹脂製の透明カバー部材２４によって覆われており、この透明カバー部材２４を通して各可溶体２１ｃを目視できるようになっている。
【００３４】
プロテクタ３は、ヒュージブルリンク２をポスト立設面１０５上に保持するものである。プロテクタ３は、ベース部３１と、保持部３２とを有し、これらが絶縁性の樹脂材によって一体形成される。
【００３５】
ベース部３１は、バッテリー筐体１０１のポスト立設面１０５に設けられたバッテリーポスト１０２にバッテリー端子１１０が締結された状態でポスト立設面１０５とバッテリー端子１１０との間に介在する部分である。ベース部３１は、バッテリーポスト１０２の周りに設けられる。ここでは、ベース部３１は、略矩形板状に形成され、バッテリーポスト１０２が挿入されるポスト挿入孔３１ａが形成される。ポスト挿入孔３１ａは、バッテリー１００等で許容される公差等を踏まえてバッテリーポスト１０２よりも十分に大きく形成される。ベース部３１は、ポスト挿入孔３１ａにバッテリーポスト１０２が挿入された状態でポスト立設面１０５の凹部１０６内に配置可能な大きさ、形状で形成される。なお、ベース部３１は、ポスト挿入孔３１ａにかえて、バッテリーポスト１０２が貫通可能なポスト挿入切り欠きを備える構成であってもよい。
【００３６】
保持部３２は、ベース部３１と連接されヒュージブルリンク２をポスト立設面１０５に保持するものである。保持部３２は、略矩形板状に形成された底面３２ａと、この底面３２ａの周縁を囲うように立設される側壁３２ｂとを有し、これらが一体となってトレイ状（皿状）に形成される。側壁３２ｂは、軸方向一方側、ここでは、プロテクタ３がバッテリー１００のポスト立設面１０５上に組み付けられた状態（以下、単に「組み付け状態」という場合がある。）で鉛直方向上側に向けて突出するようにして立設される。側壁３２ｂは、底面３２ａの４辺のうちの３辺に設けられ、当該底面３２ａの３方を囲うように設けられる。ここでは、側壁３２ｂは、底面３２ａの短辺方向に沿った２辺、及び、長辺方向に沿った２辺のうちの一方（ここではバッテリー１００の側面に対して奥側に位置する辺）に、それぞれ軸方向と直交する直交方向（短辺方向、あるいは、長辺方向）に沿って形成される。なお、各側壁３２ｂは、例えば、ヒュージブルリンク２に接続される端子やコネクタの形状等に応じて所定の箇所が切り欠かれていてもよい。
【００３７】
保持部３２は、底面３２ａと側壁３２ｂとによってヒュージブルリンク２を収容し保持するための収容空間部３２ｃが区画される。収容空間部３２ｃは、プロテクタ３がバッテリー１００のポスト立設面１０５上に組み付けられた状態で、鉛直方向上側に開口する。収容空間部３２ｃは、ヒュージブルリンク２が嵌合する大きさ、形状に形成される。また、収容空間部３２ｃは、側壁３２ｂが設けられていない面、すなわち、短辺方向の一方側の面にスライド開口３２ｄが形成される。スライド開口３２ｄは、ヒュージブルリンク２を収容空間部３２ｃに直交方向（ここでは短辺方向）に沿ってスライド挿入するための開口である。各側壁３２ｂは、ヒュージブルリンク２を、スライド開口３２ｄを介して収容空間部３２ｃにスライド挿入する際に、当該ヒュージブルリンク２を直交方向（ここでは短辺方向）に沿って当該収容空間部３２ｃに案内可能な壁面として機能する。
【００３８】
さらに、保持部３２は、収容空間部３２ｃに収容されたヒュージブルリンク２に当接して当該ヒュージブルリンク２の軸方向に沿った移動を規制する規制爪部３２ｅを有する。規制爪部３２ｅは、側壁３２ｂの軸方向の端部に形成される。規制爪部３２ｅは、少なくとも１つ設けられればよいが、ここでは、長辺方向に沿った側壁３２ｂと、短辺方向に沿った側壁３２ｂとにそれぞれ１つずつ、合計２つが設けられる。各規制爪部３２ｅは、各側壁３２ｂの軸方向先端部（組み付け状態で鉛直方向上側の端部）に形成される。各規制爪部３２ｅは、各側壁３２ｂの軸方向先端部がそれぞれ直交方向（短辺方向、あるいは、長辺方向）に沿って収容空間部３２ｃ側に屈曲したような形状に形成される。
【００３９】
上記で説明したヒュージブルリンク２は、図２、図４等に示すように、スライド開口３２ｄを介して直交方向（短辺方向）に沿って各側壁３２ｂに案内されながら、保持部３２の収容空間部３２ｃにスライド挿入されることで当該収容空間部３２ｃに組み付けられる。そして、保持部３２は、ヒュージブルリンク２が収容空間部３２ｃに収容、嵌合された状態で、各規制爪部３２ｅがヒュージブルリンク２のハウジング２３の外縁部における所定の位置に当接することで、当該ヒュージブルリンク２を収容空間部３２ｃに保持することができる。
【００４０】
ここでさらに、本実施形態のヒューズユニット１は、図４、図５に示すように、収容空間部３２ｃに収容されたヒュージブルリンク２の直交方向（ここでは短辺方向）に沿った移動を規制する規制機構６を備える。ここでは、規制機構６は、保持部３２の底面３２ａ側に２つ、短辺方向に沿った規制爪部３２ｅ側に１つ、合計３つ設けられているが、少なくとも１つ設けられていればよい。本実施形態の各規制機構６は、保持部３２、又は、ヒュージブルリンク２の一方側に設けられる規制凹部６ａと、保持部３２、又は、ヒュージブルリンク２の他方側に設けられる規制凸部６ｂとを有する。ここでは、各規制機構６は、各規制凹部６ａが保持部３２に設けられ、各規制凸部６ｂがヒュージブルリンク２に設けられる。
【００４１】
具体的には、各規制凹部６ａは、それぞれ底面３２ａ、規制爪部３２ｅにおいて、収容空間部３２ｃに面する側の面であってスライド開口３２ｄの近傍に窪み状に形成される。底面３２ａに形成された２つの規制凹部６ａは、それぞれ短辺方向に沿った各側壁３２ｂに隣接する位置に形成され、規制爪部３２ｅに形成された規制凹部６ａは、底面３２ａに形成された２つの規制凹部６ａのうちの一方（ベース部３１側の規制凹部６ａ）と軸方向に対向する位置に形成される。各規制凸部６ｂは、ヒュージブルリンク２が収容空間部３２ｃに収容された状態で、ヒュージブルリンク２のハウジング２３においてそれぞれ各規制凹部６ａと対向する位置に突起状に形成される。各規制凸部６ｂは、傾斜面６ｃと当接面６ｄとを含んで形成される。傾斜面６ｃは、規制凹部６ａにおいて、ヒュージブルリンク２のスライド挿入方向の前方側に形成され、当接面６ｄは、規制凹部６ａにおいて、スライド挿入方向の後方側に形成される。
【００４２】
上記のように構成される各規制機構６は、ヒュージブルリンク２を、スライド開口３２ｄを介して直交方向（短辺方向）に沿って収容空間部３２ｃにスライド挿入する際に、各規制凸部６ｂの傾斜面６ｃが保持部３２の底面３２ａ、規制爪部３２ｅの所定の部位に当接し当該部位を撓ませながらスライドすることで、各規制凸部６ｂが各規制凹部６ａ内に移動する。そして、各規制機構６は、各規制凸部６ｂが各規制凹部６ａ内に移動し、嵌合した状態で、各規制凸部６ｂの当接面６ｄが各規制凹部６ａの内壁面と当接することで、収容空間部３２ｃに収容されたヒュージブルリンク２の直交方向（短辺方向）に沿った移動、典型的には、スライド挿入する側とは反対側への移動を規制することができる。
【００４３】
再び、プロテクタ３の説明に戻る。上記のように構成される本実施形態の保持部３２は、長辺方向に対してベース部３１と隣接するようにして、当該ベース部３１と一体で形成される。保持部３２は、ベース部３１側の側壁３２ｂがポスト立設面１０５上の凹部１０６による段差に対応するように鉛直方向下側に延在し、当該側壁３２ｂの下端部でベース部３１と連続する。保持部３２は、このプロテクタ３が、ベース部３１のポスト挿入孔３１ａ内にバッテリーポスト１０２が挿入され、当該ベース部３１が凹部１０６内に位置するような位置関係でバッテリー１００に組み付けられた状態で、少なくとも一部がポスト立設面１０５上に位置し、当該ポスト立設面１０５上にヒュージブルリンク２を載置し、保持する。保持部３２は、組み付け状態で、底面３２ａの背面側（収容空間部３２ｃとは反対側の面）がポスト立設面１０５に当接して載置される。したがって、プロテクタ３は、ヒュージブルリンク２の荷重を、当該保持部３２を介してポスト立設面１０５上で受けることとなる。
【００４４】
係止機構４は、上記のように構成されるプロテクタ３をポスト立設面１０５上に係止するものである。本実施形態の係止機構４は、バッテリー筐体１０１と係合することでプロテクタ３をポスト立設面１０５上に係止する係止爪部４１、４２を含んで構成される。係止爪部４１、４２は、複数、ここでは２つが設けられ、バッテリー筐体１０１の複数の面、ここでは、バッテリー筐体１０１において互いに直交する２面に係合する。係止爪部４１、４２は、それぞれ組み付け状態で鉛直方向に沿って延在する板状部（アーム部）４１ａ、４２ａを介してプロテクタ３のベース部３１、及び、保持部３２と一体で形成される。板状部４１ａ、４２ａは、組み付け状態においてベース部３１、保持部３２から鉛直方向下側に向けて延在し、ベース部３１、保持部３２と一体で形成される。
【００４５】
係止爪部４１及び板状部４１ａは、組み付け状態でバッテリー筐体１０１の蓋部材１０４の長辺方向に沿った側面、ここでは、蓋部材１０４のポスト立設面１０５に形成された凹部１０６近傍の長辺方向に沿った側面と対向する位置に形成される。係止爪部４１及び板状部４１ａは、ベース部３１と保持部３２とに渡って長辺方向に沿って延在して形成される。係止爪部４２及び板状部４２ａは、組み付け状態でバッテリー筐体１０１の蓋部材１０４の短辺方向に沿った側面、ここでは、蓋部材１０４のポスト立設面１０５に形成された凹部１０６近傍の短辺方向に沿った側面と対向する位置に形成される。係止爪部４２及び板状部４２ａは、ベース部３１において短辺方向に沿って延在して形成される。
【００４６】
係止爪部４１、４２は、それぞれ板状部４１ａ、４２ａの先端部（プロテクタ３がバッテリー１００のポスト立設面１０５上に組み付けられた状態で鉛直方向下側の端部）が曲がったようなフック状、あるいは、鉤状に形成される。ここでは、係止爪部４１、４２は、バッテリー筐体１０１において、蓋部材１０４の縁部の鉛直方向下端面と係合する。係止機構４は、プロテクタ３がバッテリー１００のポスト立設面１０５上に組み付けられた状態でこの係止爪部４１、４２が蓋部材１０４の鉛直方向下端面の所定の位置に係合することで、プロテクタ３をポスト立設面１０５上に係止しロックすることができる。
【００４７】
連結バスバー５は、図１、図２、図６等に示すように、導電性を有する板状の導体であり、ヒュージブルリンク２のヒューズエレメント２１とバッテリー端子１１０とを電気的に接続するものである。ここでは、連結バスバー５は、１枚の板状の導体で構成される。連結バスバー５は、板状の金属バスバーであり、ポスト立設面１０５上の凹部１０６による段差に対応するように段差部５ａが形成される。連結バスバー５は、この段差部５ａの両端部にヒュージブルリンク側接続部としての平板部５ｂと、端子側接続部としての平板部５ｃとが形成されている。連結バスバー５は、ヒュージブルリンク２、及び、バッテリー端子１１０に組み付けられた状態で、平板部５ｂが段差部５ａの鉛直方向上側の端部から長辺方向に沿ってヒュージブルリンク２側に延在し、平板部５ｃが段差部５ａの鉛直方向下側の端部から長辺方向に沿ってバッテリー端子１１０側に延在する。言い換えれば、連結バスバー５は、段差部５ａが平板部５ｂと平板部５ｃとを接続する。平板部５ｂと平板部５ｃとは、ともにポスト立設面１０５と対向するように配置される。平板部５ｂは、ボルト孔５ｄが形成され、ヒュージブルリンク２と接続される。平板部５ｃは、ボルト孔５ｅが形成され、バッテリー端子１１０と接続される。連結バスバー５は、ボルト孔５ｄに電源側端子２１ａのスタッドボルト２２が挿入されてナット５ｆが締結され、ボルト孔５ｅにバッテリー端子１１０のスタッドボルト１１２が挿入されてナット５ｇが締結されることで、電源側端子２１ａのスタッドボルト２２とバッテリー端子１１０のスタッドボルト１１２とを電気的に接続する。
【００４８】
ここでさらに、本実施形態の連結バスバー５は、ヒュージブルリンク２との接続位置と、バッテリー端子１１０との接続位置との間の寸法上のズレ量（以下、単に「寸法上のズレ量」という場合がある。）を吸収する接続部材側ズレ量吸収構造としてのズレ量吸収構造５ｈを有する。当該「寸法上のズレ量」とは、連結バスバー５のヒュージブルリンク２との接続位置の位置公差、連結バスバー５のバッテリー端子１１０との接続位置の位置公差、または両接続位置間の寸法公差の範囲内であることが好ましいが、これらの公差より大きい場合も含めることができる。ズレ量吸収構造５ｈは、典型的には、バッテリー１００、バッテリー端子１１０、ヒュージブルリンク２、プロテクタ３等の公差に応じてあらわれる上記寸法上のズレ量を吸収するための構造である。ここでは、連結バスバー５は、長孔としてのボルト孔５ｄと、撓み許容部としての段差部５ａがそれぞれズレ量吸収構造５ｈを構成する。
【００４９】
ボルト孔５ｄは、軸方向と直交する直交方向、ここでは、ヒュージブルリンク２とバッテリー端子１１０とが並ぶ長辺方向に沿った長い孔（例えば、長円形状や楕円形状の孔）として形成されることでズレ量吸収構造５ｈを構成する。連結バスバー５は、長孔として形成されるボルト孔５ｄに、上述のようにヒュージブルリンク２側に形成された突起部としての電源側端子２１ａのスタッドボルト２２が挿入されることでヒュージブルリンク２のヒューズエレメント２１と接続される。これにより、当該ボルト孔５ｄは、長辺方向に対する寸法上のズレ量を吸収するためのズレ量吸収構造５ｈとして機能する。つまり、連結バスバー５は、ヒュージブルリンク２、及び、バッテリー端子１１０の両方と接続された状態において、ヒュージブルリンク２との接続位置と、バッテリー端子１１０との接続位置との間の長辺方向の寸法上のズレ量を、ズレ量吸収構造５ｈを構成する当該ボルト孔５ｄで吸収できるよう構成されている。
【００５０】
段差部５ａは、軸方向に沿って延在して平板部５ｂと平板部５ｃとを接続し軸方向に沿った撓みを許容するものである。ここでは、連結バスバー５は、段差部５ａが軸方向に対して交差するようにして形成され、当該段差部５ａが平板部５ｂ、５ｃに対して鋭角に屈曲するよう形成される。つまり、連結バスバー５は、側方（短辺方向）に沿って視たときに略Ｚ字形状となるよう形成されている。連結バスバー５は、このように段差部５ａを形成し当該段差部５ａが軸方向に沿って撓むことで、軸方向（鉛直方向）に撓み変形可能とされる。言い換えると、連結バスバー５は、段差部５ａと平板部５ｂ、５ｃとのなす角度が縮小する方向に屈曲することで、当該連結バスバー５の軸方向の幅（平板部５ｂ、５ｃ間の距離）を縮小させることができるように構成されている。また、連結バスバー５は、段差部５ａと平板部５ｂ、５ｃとのなす角度が拡大する方向に屈曲することで、連結バスバー５の軸方向の幅（平板部５ｂ、５ｃ間の距離）を拡大させることができるように構成されている。これにより、当該段差部５ａは、軸方向に対する寸法上のズレ量を吸収するためのズレ量吸収構造５ｈとして機能する。つまり、連結バスバー５は、ヒュージブルリンク２、及び、バッテリー端子１１０の両方と接続された状態において、ヒュージブルリンク２との接続位置と、バッテリー端子１１０との接続位置との間の軸方向の寸法上のズレ量を、ズレ量吸収構造５ｈを構成する当該段差部５ａで吸収できるよう構成されている。
【００５１】
また、本実施形態のヒュージブルリンク２は、図１、図２、図３に示すように、連結バスバー５とヒュージブルリンク２との接続位置と、バッテリー端子１１０との接続位置との間の寸法上のズレ量を吸収するヒュージブルリンク側ズレ量吸収構造としてのズレ量吸収構造２ａを有する。つまり、ヒューズユニット１は、ヒュージブルリンク２側にもズレ量吸収構造２ａを有する。ここでは、ヒュージブルリンク２は、回転許容支持部２３ａを有し、当該回転許容支持部２３ａがズレ量吸収構造２ａを構成する。回転許容支持部２３ａは、ヒュージブルリンク２のハウジング２３に形成され、軸方向に沿った回転軸線を回転中心として連結バスバー５を回転可能に支持する部分である。回転許容支持部２３ａは、ハウジング２３において、突起部としての電源側端子２１ａのスタッドボルト２２の近傍に凹部状に形成される。電源側端子２１ａのスタッドボルト２２は、当該回転許容支持部２３ａを構成する凹部状の領域内に立設されている。回転許容支持部２３ａは、ハウジング２３において、長辺方向の一方側、ここでは、バッテリー端子１１０が位置する側に開口部２３ｂが形成されると共に、当該開口部２３ｂに向かって徐々に短辺方向に沿った幅が広がる広がり部２３ｃを含んで構成される。連結バスバー５は、平板部５ｂが回転許容支持部２３ａ内に収容されるような位置関係で電源側端子２１ａのスタッドボルト２２に組み付けられる。そして、回転許容支持部２３ａは、連結バスバー５がスタッドボルト２２の軸線を回転軸線として回転した際に、広がり部２３ｃの領域の範囲内で当該連結バスバー５の回転を許容することができる。これにより、当該回転許容支持部２３ａは、短辺方向に対する寸法上のズレ量を吸収するためのズレ量吸収構造２ａとして機能する。つまり、ヒュージブルリンク２は、連結バスバー５がヒュージブルリンク２、及び、バッテリー端子１１０の両方と接続された状態において、連結バスバー５とヒュージブルリンク２との接続位置と、連結バスバー５とバッテリー端子１１０との接続位置との間の短辺方向の寸法上のズレ量を、ズレ量吸収構造２ａを構成する当該回転許容支持部２３ａで吸収できるよう構成されている。
【００５２】
ここで、上記のように構成される連結バスバー５の組み付けについて説明する。連結バスバー５は、ヒュージブルリンク２、プロテクタ３、バッテリー端子１１０がバッテリー１００に組み付けられた状態で、ヒュージブルリンク２とバッテリー端子１１０とに接続され、ナット５ｆ、ナット５ｇによって固定される。このヒューズユニット１は、ヒュージブルリンク側締結具としてのナット５ｆ、又は、端子側締結具としてのナット５ｇの一方が仮締め兼用締結具とされる。ここでは、ヒューズユニット１は、ナット５ｆが、連結バスバー５のヒュージブルリンク２側の平板部５ｂを当該ヒュージブルリンク２に仮締め、及び、本締めするためのヒュージブルリンク側仮締め兼用締結具であり、例えば、ナイロンナットによって構成される一方、ナット５ｇが連結バスバー５のバッテリー端子１１０側の平板部５ｃを当該バッテリー端子１１０に本締めするための通常のナットによって構成される。以下、図７のフローチャートを参照して、ヒューズユニット１の組み付け方法、特に、連結バスバー５の組み付け方法について説明する。
【００５３】
まず、作業者は、ヒュージブルリンク２、プロテクタ３、バッテリー端子１１０がバッテリー１００に組み付けられた状態で、連結バスバー設置工程（ＦＬ側）として、連結バスバー５のヒュージブルリンク２側の平板部５ｂに形成されているボルト孔５ｄに電源側端子２１ａのスタッドボルト２２を挿入するようにして、当該連結バスバー５をヒュージブルリンク２側に組み付ける(ステップＳＴ１)。
【００５４】
次に、作業者は、ＦＬ側仮締め工程として、ナイロンナットによって構成されるナット５ｆによって連結バスバー５のヒュージブルリンク２側の平板部５ｂをヒュージブルリンク２に仮締めする(ステップＳＴ２)。
【００５５】
次に、作業者は、連結バスバー組付工程（端子側）として、連結バスバー５のヒュージブルリンク２側の平板部５ｂをヒュージブルリンク２に仮締めした状態で連結バスバー５のバッテリー端子１１０側の平板部５ｃに形成されているボルト孔５ｅにバッテリー端子１１０のスタッドボルト１１２を挿入するようにして、当該連結バスバー５をバッテリー端子１１０側に組み付ける(ステップＳＴ３）。
【００５６】
次に、作業者は、端子組付工程として、電線１１４の末端に設けられた端子１１５が連結バスバー５の平板部５ｃ上に位置するように、当該端子１１５をスタッドボルト１１２に組み付ける（ステップＳＴ４）。
【００５７】
そして、作業者は、本締め工程として、ナット５ｆ、及び、ナット５ｇを本締めして（ステップＳＴ５）、連結バスバー５の組み付け方法を終了する。
【００５８】
上記のようにして構成されるヒューズユニット１は、ヒュージブルリンク２がプロテクタ３の保持部３２の収容空間部３２ｃ内に短辺方向に沿ってスライド挿入され、各規制爪部３２ｅがヒュージブルリンク２に当接すると共に、各規制機構６が当該ヒュージブルリンク２の逆側への移動を規制することで、当該ヒュージブルリンク２が収容空間部３２ｃに係止され保持される。そして、ヒューズユニット１は、プロテクタ３のベース部３１のポスト挿入孔３１ａ内にバッテリーポスト１０２が挿入され、当該ベース部３１が凹部１０６内に位置するような位置関係で、プロテクタ３がヒュージブルリンク２と共にバッテリー１００のポスト立設面１０５上に組み付けられる。このとき、ヒューズユニット１は、係止機構４の係止爪部４１、４２が蓋部材１０４の鉛直方向下端面に係合することで、ヒュージブルリンク２と共にプロテクタ３をポスト立設面１０５上に係止しロックすることができる。
【００５９】
このようにして、ヒューズユニット１は、少なくともプロテクタ３の一部がバッテリー１００のポスト立設面１０５上に位置し、当該ポスト立設面１０５上にヒュージブルリンク２を載置し、保持することができる。そして、ヒューズユニット１は、バッテリー端子１１０がバッテリーポスト１０２に組み付けられた後、ヒューズエレメント２１とバッテリー端子１１０とを接続するようにして連結バスバー５が設けられ、各部のボルト、ナット等が締め付けられる。この結果、バッテリー端子１１０は、バッテリーポスト１０２に締結されると共に、当該バッテリー端子１１０とヒュージブルリンク２とが接続される。このとき、連結バスバー５は、バッテリーポスト１０２に対するバッテリー端子１１０の組み付け角度を規制する規制部材としても機能する。
【００６０】
なおここでは、ヒュージブルリンク２をプロテクタ３に組み付けた後にヒュージブルリンク２と共にプロテクタ３をポスト立設面１０５上に組み付けるものとして説明したが、これに限らず、プロテクタ３をポスト立設面１０５上に組み付けた後に、プロテクタ３にヒュージブルリンク２を組み付けてもよい。また、バッテリー端子１１０のスタッドボルト１１２には、連結バスバー５と共に上述の電線１１４の末端に設けられた端子１１５等も接続される。
【００６１】
以上で説明したヒューズユニット１によれば、バッテリー端子１１０と接続され過電流が流れたときに可溶体２１ｃが溶断するヒュージブルリンク２と、プロテクタ３と、連結バスバー５を備える。プロテクタ３は、バッテリー筐体１０１のポスト立設面１０５に設けられたバッテリーポスト１０２にバッテリー端子１１０が締結された状態でポスト立設面１０５とバッテリー端子１１０との間に介在するベース部３１と、ベース部３１と連接されヒュージブルリンク２をポスト立設面１０５に保持する保持部３２とを有する。連結バスバー５は、ヒュージブルリンク２とバッテリー端子１１０とを電気的に接続すると共に、ヒュージブルリンク２との接続位置と、バッテリー端子１１０との接続位置との間の寸法上のズレ量を吸収するズレ量吸収構造５ｈを有する。
【００６２】
したがって、ヒューズユニット１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット１からバッテリー端子１１０に作用する荷重を抑制することができる。またさらに、ヒューズユニット１は、連結バスバー５がズレ量吸収構造５ｈを有するので、当該連結バスバー５によってヒュージブルリンク２とバッテリー端子１１０とを接続した状態で、ズレ量に応じて連結バスバー５からバッテリー端子１１０に作用する荷重を抑制することができる。この結果、このヒューズユニット１は、バッテリーポスト１０２に作用する荷重を抑制することができる。
【００６３】
また、ヒューズユニット１は、バッテリー筐体１０１の側面側の周囲に当該ヒューズユニット１を設置するためのスペースが確保できないような場合に、バッテリー筐体１０１のポスト立設面１０５（鉛直方向上面）上に設置スペースを確保しヒュージブルリンク２を配置することができるので、適切にヒュージブルリンク２を設けることができる。
【００６４】
さらに、ヒューズユニット１は、連結バスバー５がズレ量吸収構造５ｈを有するので、連結バスバー５をヒュージブルリンク２とバッテリー端子１１０とに接続する際の作業性を向上することもできる。
【００６５】
より詳細には、以上で説明したヒューズユニット１によれば、連結バスバー５は、バッテリーポスト１０２の軸方向と直交する直交方向、ここでは、長辺方向に沿って形成される長孔としてのボルト孔５ｄを有し、当該ボルト孔５ｄにヒュージブルリンク２側に形成されたスタッドボルト２２が挿入されることでヒュージブルリンク２と接続される。そして、ズレ量吸収構造５ｈは、ボルト孔５ｄによって構成される。したがって、ヒューズユニット１は、連結バスバー５がヒュージブルリンク２、及び、バッテリー端子１１０の両方と接続された状態において、ヒュージブルリンク２との接続位置と、バッテリー端子１１０との接続位置との間の長辺方向の寸法上のズレ量を、ズレ量吸収構造５ｈを構成するボルト孔５ｄで吸収することができる。この結果、ヒューズユニット１は、ズレ量に応じて連結バスバー５からバッテリー端子１１０に作用する荷重を抑制することができ、バッテリーポスト１０２に作用する荷重を抑制することができる。
【００６６】
また、以上で説明したヒューズユニット１によれば、ヒュージブルリンク２は、バッテリーポスト１０２の軸方向に沿った回転軸線を回転中心として連結バスバー５を回転可能に支持する回転許容支持部２３ａを有し、当該回転許容支持部２３ａが、連結バスバー５とヒュージブルリンク２との接続位置と、連結バスバー５とバッテリー端子１１０との接続位置との間の寸法上のズレ量を吸収するズレ量吸収構造２ａを構成する。したがって、ヒューズユニット１は、連結バスバー５がヒュージブルリンク２、及び、バッテリー端子１１０の両方と接続された状態において、連結バスバー５とヒュージブルリンク２との接続位置と、連結バスバー５とバッテリー端子１１０との接続位置との間の短辺方向の寸法上のズレ量を、ズレ量吸収構造２ａを構成する当該回転許容支持部２３ａで吸収することができる。この結果、ヒューズユニット１は、ズレ量に応じて連結バスバー５からバッテリー端子１１０に作用する荷重を抑制することができ、バッテリーポスト１０２に作用する荷重を抑制することができる。
【００６７】
さらに、以上で説明したヒューズユニット１によれば、連結バスバー５は、ヒュージブルリンク２と接続される平板部５ｂと、バッテリー端子１１０と接続される平板部５ｃと、バッテリーポスト１０２の軸方向に沿って延在して平板部５ｂと平板部５ｃとを接続し軸方向に沿った撓みを許容する段差部５ａとを有する。そして、ズレ量吸収構造５ｈは、段差部５ａによって構成される。したがって、ヒューズユニット１は、連結バスバー５がヒュージブルリンク２、及び、バッテリー端子１１０の両方と接続された状態において、連結バスバー５とヒュージブルリンク２との接続位置と、連結バスバー５とバッテリー端子１１０との接続位置との間の軸方向の寸法上のズレ量を、ズレ量吸収構造２ａを構成する当該回転許容支持部２３ａで吸収することができる。この結果、ヒューズユニット１は、ズレ量に応じて連結バスバー５からバッテリー端子１１０に作用する荷重を抑制することができ、バッテリーポスト１０２に作用する荷重を抑制することができる。
【００６８】
また、以上で説明したヒューズユニット１によれば、保持部３２は、バッテリーポスト１０２の軸方向と直交する直交方向に沿って形成されヒュージブルリンク２を収容する収容空間部３２ｃを区画すると共に、ヒュージブルリンク２を直交方向に沿って収容空間部３２ｃに案内可能である側壁３２ｂと、側壁３２ｂの軸方向の端部に形成され、収容空間部３２ｃに収容されたヒュージブルリンク２に当接して当該ヒュージブルリンク２の軸方向に沿った移動を規制する規制爪部３２ｅとを有する。したがって、ヒューズユニット１は、収容空間部３２ｃに対してヒュージブルリンク２を、各側壁３２ｂに沿って直交方向（短辺方向）にスライド挿入して組み付けることができると共に各規制爪部３２ｅがヒュージブルリンク２に当接することで、当該ヒュージブルリンク２を収容空間部３２ｃに保持することができる。そして、ヒューズユニット１は、ヒュージブルリンク２を直交方向にスライド挿入して組み付ける構成であることから、上記のようにバッテリーポスト１０２に作用する荷重を抑制することができる構造にあって、当該直交方向と直交する軸方向（鉛直方向）に対するガタツキも低減することができる。この結果、ヒューズユニット１は、ヒュージブルリンク２が保持部３２に保持された状態で軸方向に振動することを抑制することができるので、例えば、保持部３２がヒュージブルリンク２の振動によって変形するような事態が発生することを抑制することができる。特に、このヒューズユニット１は、例えば、バッテリー１００を車両に搭載した場合、鉛直方向(軸方向)に沿った振動が相対的に大きくなる傾向にあるが、この場合であっても上記のように鉛直方向（軸方向）に対するガタツキを低減しやすい構造とすることができるので、例えば、ヒュージブルリンク２を保持部３２に適正に保持しておくことができる。またこれにより、ヒューズユニット１は、ヒュージブルリンク２側から連結バスバー５を介してバッテリーポスト１０２側に伝わる振動を低減することもできるので、この点からもバッテリーポスト１０２に作用する荷重を抑制することができる。
【００６９】
さらに、以上で説明したヒューズユニット１によれば、収容空間部３２ｃに収容されたヒュージブルリンク２の直交方向に沿った移動を規制する規制機構６を備える。したがって、ヒューズユニット１は、規制機構６によって、収容空間部３２ｃに収容されたヒュージブルリンク２の直交方向（短辺方向）に沿った移動、典型的には、スライド挿入する側とは反対側への移動を規制することができるので、ヒュージブルリンク２が保持部３２から外れてしまうことを規制することができる。
【００７０】
なお、以上の説明では、連結バスバー５は、１枚の板状の導体で構成されるものとして説明したがこれに限らない。図８に示す変形例に係る連結バスバー５Ａは、バッテリーポスト１０２の軸方向に複数積層される。ここでは、連結バスバー５Ａは、３枚の板状の導体が積層されている。連結バスバー５Ａは、要求される通電電流に応じて規定される厚みを満たす範囲で複数枚、ここでは３枚を積層させて構成することができる。ヒューズユニット１は、連結バスバー５Ａを複数積層させて構成することで、軸方向（鉛直方向）にさらに撓み変形しやすい構成とすることができる。よってこの場合、ヒューズユニット１は、バッテリーポスト１０２に作用する荷重をさらに抑制することができる。
【００７１】
また、以上で説明した連結バスバー５は、段差部５ａが軸方向に対して交差するようにして形成され、当該段差部５ａが平板部５ｂ、５ｃに対して鋭角に屈曲するよう、言い換えれば、側方（短辺方向）に沿って視たときに略Ｚ字形状となるよう形成されるものとして説明したがこれに限らない。連結バスバー５は、軸方向に沿った撓みを許容する撓み許容部（上記の説明では段差部５ａに相当）を有する構成であればよく、例えば、段差部５ａが軸方向に対して交差するようにして形成され、当該段差部５ａが平板部５ｂ、５ｃに対して鈍角に屈曲するよう形成され、これにより、軸方向に沿った撓みを許容する撓み許容部を構成してもよい。また、連結バスバー５は、撓み許容部を螺旋形状やベローズ形状（蛇腹形状）によって構成されてもよい。
【００７２】
以上で説明した連結バスバー５は、長孔としてのボルト孔５ｄは、直交方向としての長辺方向に沿って形成されるものとして説明したがこれに限らず、直交方向としての短辺方向に沿って形成されてもよい。この場合、ヒューズユニット１は、連結バスバー５がヒュージブルリンク２、及び、バッテリー端子１１０の両方と接続された状態において、ヒュージブルリンク２との接続位置と、バッテリー端子１１０との接続位置との間の短辺方向の寸法上のズレ量を、ズレ量吸収構造５ｈを構成するボルト孔５ｄで吸収することができる。
【００７３】
また、以上で説明した連結バスバー５は、ボルト孔５ｄが長孔として形成されるものとして説明したが、ボルト孔５ｅが長孔として形成されてもよい。この場合、連結バスバー５は、バッテリーポスト１０２の軸方向と直交する直交方向、ここでは、長辺方向に沿って形成される長孔としてのボルト孔５ｅを有し、当該ボルト孔５ｅにバッテリー端子１１０側に形成された突起部としてのスタッドボルト１１２が挿入されることでバッテリー端子１１０と接続される。そして、ズレ量吸収構造５ｈは、ボルト孔５ｅによって構成される。この場合であっても、ヒューズユニット１は、連結バスバー５がヒュージブルリンク２、及び、バッテリー端子１１０の両方と接続された状態において、ヒュージブルリンク２との接続位置と、バッテリー端子１１０との接続位置との間の長辺方向の寸法上のズレ量を、ズレ量吸収構造５ｈを構成するボルト孔５ｅで吸収することができる。
【００７４】
以上で説明した規制機構６は、規制凹部６ａと、規制凸部６ｂとを有するものとして説明したがこれに限らない。図９に示す変形例に係る規制機構６Ａは、規制凹部６ａにかえて板バネ部材６ｅを有する。板バネ部材６ｅは、所定の形状に屈曲させて形成され、保持部３２に形成された収容溝部６ｆ内に設置される。この場合、各規制機構６Ａは、ヒュージブルリンク２を、スライド開口３２ｄを介して直交方向（短辺方向）に沿って収容空間部３２ｃにスライド挿入する際に、各規制凸部６ｂの傾斜面６ｃが板バネ部材６ｅに当接し変形させながらスライドすることで、各規制凸部６ｂが各板バネ部材６ｅの奥側の空間内に移動する。このとき、各規制機構６Ａは、保持部３２の所定の部位を撓ませなくても規制凸部６ｂを各板バネ部材６ｅの奥側の空間内に移動させることができるので、より簡単にヒュージブルリンク２を保持部３２の収容空間部３２ｃにスライド挿入することができる。そして、各規制機構６Ａは、各規制凸部６ｂが各板バネ部材６ｅの奥側の空間内に移動し、嵌合した状態で、各規制凸部６ｂの当接面６ｄが各板バネ部材６ｅの端面と当接することで、収容空間部３２ｃに収容されたヒュージブルリンク２の直交方向（短辺方向）に沿った移動、典型的には、スライド挿入する側とは反対側への移動を規制することができる。
【００７５】
［実施形態２］
図１０は、実施形態２に係るヒューズユニットが適用されるバッテリーの概略構成を表す斜視図である。図１１は、実施形態２に係るヒューズユニットの連結バスバーの概略構成を表す斜視図である。実施形態２に係るヒューズユニットは、接続部材の構成が実施形態１とは異なる。その他、上述した実施形態と共通する構成、作用、効果については、重複した説明はできるだけ省略する。
【００７６】
本実施形態に係るヒューズユニット２０１は、図１０、図１１に示すように、連結バスバー５にかえて、接続部材としての連結バスバー２０５を備える。なお、ヒューズユニット２０１は、連結バスバー２０５以外の構成はプロテクタ３の保持部３２の形状が連結バスバー２０５の形状に応じて若干異なることを除いて上述のヒューズユニット１の構成とほぼ同様の構成であるのでその説明を省略する。
【００７７】
連結バスバー２０５は、ヒュージブルリンク側接続部としての平板部２０５ａと、端子側接続部としての平板部２０５ｂと、第１撓み許容部としての直交方向延在部２０５ｃと、第２撓み許容部としての連結部２０５ｄと、第３撓み許容部としての連結部２０５ｅとを有する。連結バスバー２０５は、板状の金属バスバーであり、ポスト立設面１０５上の凹部１０６による段差に対応するように直交方向延在部２０５ｃ、連結部２０５ｄ、連結部２０５ｅが形成される。平板部２０５ａは、ボルト孔２０５ｆが形成されヒュージブルリンク２と接続される。平板部２０５ｂは、ボルト孔２０５ｇが形成されバッテリー端子１１０と接続される。ここでは、ボルト孔２０５ｆとボルト孔２０５ｇとは共に正円状に形成される。直交方向延在部２０５ｃは、バッテリーポスト１０２の軸方向と直交する直交方向、ここでは短辺方向に沿って延在し短辺方向に沿った撓みを許容する部分である。連結部２０５ｄは、平板部２０５ａと直交方向延在部２０５ｃの一端とを接続し軸方向に沿った撓みを許容する部分である。連結部２０５ｅは、平板部２０５ｂと直交方向延在部２０５ｃの他端とを接続し軸方向に沿った撓みを許容する部分である。平板部２０５ａ、連結部２０５ｄと平板部２０５ｂ、連結部２０５ｅとは、ともにポスト立設面１０５と対向するように配置される。直交方向延在部２０５ｃは、凹部１０６を区画する短辺方向に沿った壁面と対向するように配置される。連結バスバー２０５は、ヒュージブルリンク２、及び、バッテリー端子１１０に組み付けられた状態で、平板部２０５ａ、連結部２０５ｄが直交方向延在部２０５ｃの短辺方向一方側でかつ鉛直方向（軸方向）上側の端部から長辺方向に沿ってヒュージブルリンク２側に延在し、平板部２０５ｂ、連結部２０５ｅが直交方向延在部２０５ｃの短辺方向他方側でかつ鉛直方向（軸方向）下側の端部から長辺方向に沿ってバッテリー端子１１０側に延在する。言い換えれば、連結バスバー２０５は、直交方向延在部２０５ｃが平板部２０５ａ、連結部２０５ｄと平板部２０５ｂ、連結部２０５ｅとを接続する。連結部２０５ｄは、平板部２０５ａと直交方向延在部２０５ｃの一端とを屈曲させつつ接続する。連結部２０５ｅは、平板部２０５ｂと直交方向延在部２０５ｃの他端とを屈曲させつつ接続する。連結バスバー２０５は、ボルト孔２０５ｆに電源側端子２１ａのスタッドボルト２２が挿入されてナット５ｆが締結され、ボルト孔２０５ｇにバッテリー端子１１０のスタッドボルト１１２が挿入されてナット５ｇが締結されることで、電源側端子２１ａのスタッドボルト２２とバッテリー端子１１０のスタッドボルト１１２とを電気的に接続する。
【００７８】
そして、本実施形態の接続部材側ズレ量吸収構造としてのズレ量吸収構造２０５ｈは、直交方向延在部２０５ｃ、連結部２０５ｄ、及び、連結部２０５ｅによって構成される。連結バスバー２０５は、ズレ量吸収構造２０５ｈを構成する直交方向延在部２０５ｃ、連結部２０５ｄ、及び、連結部２０５ｅが各方向に対して撓むことで軸方向（鉛直方向）、短辺方向、及び、長辺方向に撓み変形可能とされる。つまり、連結バスバー２０５は、ヒュージブルリンク２、及び、バッテリー端子１１０の両方と接続された状態において、ヒュージブルリンク２との接続位置と、バッテリー端子１１０との接続位置との間の軸方向、短辺方向、及び、長辺方向の各方向の寸法上のズレ量を、ズレ量吸収構造２０５ｈを構成する直交方向延在部２０５ｃ、連結部２０５ｄ、及び、連結部２０５ｅで吸収できるよう構成されている。
【００７９】
以上で説明したヒューズユニット２０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット１からバッテリー端子１１０に作用する荷重を抑制することができる。またさらに、ヒューズユニット２０１は、連結バスバー２０５がズレ量吸収構造２０５ｈを有するので、当該連結バスバー２０５によってヒュージブルリンク２とバッテリー端子１１０とを接続した状態で、ズレ量に応じて連結バスバー２０５からバッテリー端子１１０に作用する荷重を抑制することができる。この結果、このヒューズユニット２０１は、バッテリーポスト１０２に作用する荷重を抑制することができる。
【００８０】
さらに、以上で説明したヒューズユニット２０１によれば、連結バスバー２０５は、ヒュージブルリンク２と接続される平板部２０５ａと、バッテリー端子１１０と接続される平板部２０５ｂと、バッテリーポスト１０２の軸方向と直交する直交方向に沿って延在し直交方向に沿った撓みを許容する直交方向延在部２０５ｃと、平板部２０５ａと直交方向延在部２０５ｃの一端とを接続し軸方向に沿った撓みを許容する連結部２０５ｄと、平板部２０５ｂと直交方向延在部２０５ｃの他端とを接続し軸方向に沿った撓みを許容する連結部２０５ｅとを有し、ズレ量吸収構造は、直交方向延在部２０５ｃ、連結部２０５ｄ、及び、連結部２０５ｅによって構成される。したがって、ヒューズユニット２０１は、連結バスバー２０５がヒュージブルリンク２、及び、バッテリー端子１１０の両方と接続された状態において、連結バスバー２０５とヒュージブルリンク２との接続位置と、連結バスバー５とバッテリー端子１１０との接続位置との間の各方向の寸法上のズレ量を、ズレ量吸収構造２０５ｈを構成する直交方向延在部２０５ｃ、連結部２０５ｄ、及び、連結部２０５ｅで吸収することができる。この結果、ヒューズユニット２０１は、ズレ量に応じて連結バスバー２０５からバッテリー端子１１０に作用する荷重を抑制することができ、バッテリーポスト１０２に作用する荷重を抑制することができる。
【００８１】
［実施形態３］
図１２は、実施形態３に係るヒューズユニットが適用されるバッテリーの概略構成を表す斜視図である。図１３は、実施形態３に係るヒューズユニットの組み付け方法の一例を表すフローチャートである。実施形態３に係るヒューズユニット、及び、ヒューズユニット組み付け方法は、仮締め兼用締結具の配置が実施形態１とは異なる。その他、上述した実施形態と共通する構成、作用、効果については、重複した説明はできるだけ省略する。
【００８２】
本実施形態に係るヒューズユニット３０１は、図１２に示すように、ナット５ｆ、５ｇにかえて、連結バスバー５のヒュージブルリンク２側の平板部５ｂを当該ヒュージブルリンク２に本締めするためのヒュージブルリンク側締結具としてのナット３０５ｆと、連結バスバー５のバッテリー端子１１０側の平板部５ｃを当該バッテリー端子１１０に仮締め、及び、本締めするための端子側仮締め兼用締結具としてのナット３０５ｇとを備える。ここでは、ナット３０５ｇは、ナイロンナットによって構成される一方、ナット３０５ｆは、通常のナットによって構成される。なお、ヒューズユニット３０１は、その他の構成は上述のヒューズユニット１の構成とほぼ同様の構成であるのでその説明を省略する。以下、図１３のフローチャートを参照して、ヒューズユニット３０１の組み付け方法、特に、連結バスバー５の組み付け方法について説明する。
【００８３】
まず、作業者は、ヒュージブルリンク２、プロテクタ３、バッテリー端子１１０がバッテリー１００に組み付けられた状態で、連結バスバー設置工程（端子側）として、連結バスバー５のヒュージブルリンク２側の平板部５ｃに形成されているボルト孔５ｅにバッテリー端子１１０のスタッドボルト１１２を挿入するようにして、当該連結バスバー５をバッテリー端子１１０側に組み付ける(ステップＳＴ２０１)。
【００８４】
次に、作業者は、端子側仮締め工程として、ナイロンナットによって構成されるナット３０５ｇによって連結バスバー５のバッテリー端子１１０側の平板部５ｃをヒュージブルリンク２に仮締めする(ステップＳＴ２０２)。
【００８５】
次に、作業者は、接続部材組付工程としての連結バスバー組付工程（ＦＬ側）として、連結バスバー５のバッテリー端子１１０側の平板部５ｃをバッテリー端子１１０に仮締めした状態で連結バスバー５のヒュージブルリンク２側の平板部５ｂに形成されているボルト孔５ｄに電源側端子２１ａのスタッドボルト２２を挿入するようにして、当該連結バスバー５をヒュージブルリンク２側に組み付ける(ステップＳＴ２０３）。
【００８６】
次に、作業者は、端子組付工程として、電線１１４の末端に設けられた端子３１５が連結バスバー５の平板部５ｃと仮締め兼用のナット３０５ｇとの間に介在して位置するように、当該端子３１５をスタッドボルト１１２に組み付ける（ステップＳＴ２０４）。ここで、本実施形態の端子３１５は、ナット３０５ｇが仮締めされている状態であっても連結バスバー５とナット３０５ｇとの間に組み付けることができる形状に形成されている。ここでは、端子３１５は、ナット３０５ｇを直交方向、ここでは、短辺方向に沿って投影した投影領域より若干大きい孔部３１５ａが形成されており、仮締めされた状態のナット３０５ｇを当該孔部３１５ａに通すようにしながら連結バスバー５とスタッドボルト１１２との間に組み付け可能な構成となっている。
【００８７】
そして、作業者は、本締め工程として、ナット３０５ｆ、及び、ナット３０５ｇを本締めして（ステップＳＴ２０５）、連結バスバー５の組み付け方法を終了する。
【００８８】
以上で説明したヒューズユニット３０１は、プロテクタ３のベース部３１と連接された保持部３２によってヒュージブルリンク２をバッテリー筐体１０１のポスト立設面１０５に保持し、当該ポスト立設面１０５でヒュージブルリンク２の荷重を受けることで、ヒューズユニット１からバッテリー端子１１０に作用する荷重を抑制することができる。またさらに、ヒューズユニット３０１は、連結バスバー５がズレ量吸収構造５ｈを有するので、当該連結バスバー５によってヒュージブルリンク２とバッテリー端子１１０とを接続した状態で、ズレ量に応じて連結バスバー５からバッテリー端子１１０に作用する荷重を抑制することができる。この結果、このヒューズユニット３０１は、バッテリーポスト１０２に作用する荷重を抑制することができる。
【００８９】
さらに、以上で説明したヒューズユニット３０１は、連結バスバー５のバッテリー端子１１０側を当該バッテリー端子１１０に仮締め、及び、本締めするためのナット３０５ｇと、連結バスバー５のヒュージブルリンク２側を当該ヒュージブルリンク２に本締めするためのナット３０５ｆとを備える。
【００９０】
そして、以上で説明したヒューズユニット３０１の組み付け方法によれば、連結バスバー５のバッテリー端子１１０側をナット３０５ｇによって当該バッテリー端子１１０に仮締めする端子側仮締め工程（ＳＴ２０２）と、端子側仮締め工程（ＳＴ２０２）の後に、連結バスバー５のバッテリー端子１１０側をナット３０５ｇによって当該バッテリー端子１１０に仮締めした状態で連結バスバー５のヒュージブルリンク２側を当該ヒュージブルリンク２に組み付ける連結バスバー組付工程（ＦＬ側）（ＳＴ２０３）と、連結バスバー組付工程（ＦＬ側）（ＳＴ２０３）の後に、連結バスバー５とナット３０５ｇとの間に他の端子３１５を介在させる端子組付工程（ＳＴ２０４）と、端子組付工程（ＳＴ２０４）の後に、ナット３０５ｇ、及び、連結バスバー５のヒュージブルリンク２側を当該ヒュージブルリンク２に本締めするためのナット３０５ｆを本締めするためのナット３０５ｆを本締めする本締め工程（ＳＴ２０５）とを含む。
【００９１】
したがって、ヒューズユニット３０１は、連結バスバー５のヒュージブルリンク２側を当該ヒュージブルリンク２に固定するナット３０５ｆを、一旦仮締めの状態とする工程を経ないで最初から本締めすることができるので、当該ナット３０５ｆを仮締めのまま本締めし忘れるという事態が発生することを抑制することができる。
【００９２】
なお、上述した本発明の実施形態に係るヒューズユニット、及び、ヒューズユニット組み付け方法は、上述した実施形態に限定されず、特許請求の範囲に記載された範囲で種々の変更が可能である。本実施形態に係るヒューズユニット、及び、ヒューズユニット組み付け方法は、以上で説明した各実施形態、変形例の構成要素を適宜組み合わせることで構成してもよい。例えば、実施形態２に記載のボルト孔２０５ｆ、又は、ボルト孔２０５ｇを直交方向に沿った長孔としてもよい。
【００９３】
以上の説明では、ヒュージブルリンク２は、ヒューズエレメント２１、スタッドボルト２２がインサート成形等によってハウジング２３内に埋設され一体化されるものとして説明したがこれに限らない。
【００９４】
以上の説明では、プロテクタ３の保持部３２は、長辺方向に対してベース部３１と隣接するようにして当該ベース部３１と一体で形成されるものとして説明したが、これに限らず、短辺方向に対してベース部３１と隣接するようにして当該ベース部３１と一体で形成されてもよい。
【００９５】
また、以上で説明したヒューズユニットは、係止機構を備えない構成であってもよい。
【００９６】
また、以上で説明したヒューズユニットは、ポスト立設面１０５に凹部１０６が形成されたバッテリー１００に適用するものとして説明したが、これに限らず、凹部１０６を有さないポスト立設面１０５が平面状のバッテリーに適用してもよい。この場合、ヒューズユニットは、上述したベース部３１、保持部３２、連結バスバー５等は略平面状に形成されることとなる。
【符号の説明】
【００９７】
１、２０１、３０１    ヒューズユニット
２    ヒュージブルリンク
２ａ    ズレ量吸収構造（ヒュージブルリンク側ズレ量吸収構造）
３    プロテクタ（保持機構）
４    係止機構
５、５Ａ、２０５    連結バスバー（接続部材）
５ａ    段差部（撓み許容部）
５ｂ、２０５ａ    平板部（ヒュージブルリンク側接続部）
５ｃ、２０５ｂ    平板部（端子側接続部）
５ｄ    ボルト孔（長孔）
５ｈ、２０５ｈ    ズレ量吸収構造（接続部材側ズレ量吸収構造）
６、６Ａ    規制機構
２１ｃ    可溶体
２２    スタッドボルト（突起部）
２３ａ    回転許容支持部
３１    ベース部
３２    保持部
３２ｂ    側壁
３２ｃ    収容空間部
３２ｅ    規制爪部
１００    バッテリー
１０１    バッテリー筐体
１０２    バッテリーポスト
１０５    ポスト立設面
１１０    バッテリー端子
１１５、３１５    端子
２０５ｃ    直交方向延在部（第１撓み許容部）
２０５ｄ    連結部（第２撓み許容部）
２０５ｅ    連結部（第３撓み許容部）
３０５ｆ    ナット（ヒュージブルリンク側締結具）
３０５ｇ    ナット（端子側仮締め兼用締結具）
【図１】
0006430834.tif 000002
【図２】
0006430834.tif 000003
【図３】
0006430834.tif 000004
【図４】
0006430834.tif 000005
【図５】
0006430834.tif 000006
【図６】
0006430834.tif 000007
【図７】
0006430834.tif 000008
【図８】
0006430834.tif 000009
【図９】
0006430834.tif 000010
【図１０】
0006430834.tif 000011
【図１１】
0006430834.tif 000012
【図１２】
0006430834.tif 000013
【図１３】
0006430834.tif 000014